(57)【要約】【課題】レンズを薄く見せるために切削した部分が、メガネ使用者の視野に入りにくく、また、リム付のメガネであっても採用に無理のないメガネ及びメガネレンズを提供する。【解決手段】メガネレンズの耳側縁部１１の裏側を切削してメガネレンズの厚みを局部的に薄くする。よって、表側を切削するよりも、切削部１０３がメガネ使用者の視野に入りにくい。また、切削部１０３の段差は前から見た他者にはフレームの陰になって認識されにくいので、メガネの見栄えが悪くなるのを防止できる。【選択図】図1
2008089940.tif 000002
【特許請求の範囲】
【請求項１】
縁厚な２枚のメガネレンズと、各メガネレンズの耳側縁部の裏側を水平断面Ｌ字状に切削してメガネレンズの厚みを局部的に薄くした切削部と、を有することを特徴とするメガネ。
【請求項２】
請求項１に記載のメガネに使用され、縁厚な形状と、耳側縁部の裏側を水平断面Ｌ字状に切削してレンズの厚みを局部的に薄くした切削部と、を有することを特徴とするメガネレンズ。
【発明の詳細な説明】
【技術分野】
【０００１】
この発明は、レンズの厚さを薄く見せて見栄えをよくするためのメガネ及びメガネレンズに関する。
【背景技術】
【０００２】
一般的にメガネの使用者にとって、レンズが厚いということは、容姿の見栄えの上で、あまり快いものではなく、不満が生じやすい。メガネレンズの厚さは、メガネの度数が強くなる程厚くなる。また、レンズの屈折率やレンズ設計等に大きく左右され、度数が同一でもその厚さにかなりの相違が生じる。一般的に安価なレンズは厚く、高価なレンズは薄くなる。そのため使用者は、レンズ厚がなるべく薄く仕上がるように高価なレンズを選択する傾向にある。
【０００３】
図９、図１０に示すように、凹レンズ１０１は中心が最も薄く、中心から遠くなり外側になるほど厚くなっている。そして、レンズ１０１の面積が大きいメガネは、外側をあまリカッ卜しないので、外側縁部が厚くなる。とりわけ耳側縁部１０２のレンズ厚は、図１１に示すように、メガネを横から見ることで他者からは明確に認識されやすく、メガネの使用者の見栄えにかなり影響する。
【０００４】
そのようなメガネ使用者の不満に対しこれまでもいろいろな加工が行われてきた。例えば、レンズ耳側裏面の面取り１０２Ａを通常より大きく切削したり（図１２参照）、レンズの耳側裏面に斜めの多面体の切削部１０２Ｂを設けたファセット加工と呼ばれる方法を施したり（図１３参照）して、横から見たレンズの厚みをより薄く見せる加工法等である。
【０００５】
また、特許文献１（図１４参照）のようにレンズ１０１の耳側縁部１０２の表面側を切削し、切削部１０３の薄くなった部分に穴をあけボルト１０５を通して智（よろい）１０７が設けられ、蝶番１０９を介して、耳にかけられるテンプル１１１に連結されるという加工法も提案されている。そのようにして、これまでもレンズの縁厚が気になるメガネ使用者の要望に、少しでも応えられるように工夫されてきた。
【特許文献１】実開平06-87923
【発明の開示】
【発明が解決しようとする課題】
【０００６】
しかしながら、従来の加工法には色々な問題もあった。まず、前記図１２、図１３の加工法の場合、面取り１０２Ａや切削部１０２Ｂが耳側の最厚部に止まらず、レンズ上下にも及び、広い範囲をテーパー状に切削することになり、面取り１０２Ａや切削部１０２Ｂがメガネ使用者の視野に入り易く、視界の邪魔になったり、不快な気持ちになったりしやすい。
また、特許文献１（図１４参照）の構造は、切削部が前面のため、切削部１０３がメガネ使用者の視野に入り易く、視界の邪魔になったり、不快な気持ちになったりしやすい。
【０００７】
また、特許文献１の構造は、縁無し（リムレスフレーム）メガネに関するものであり、この構造を他のメガネに採用するのは無理があった。すなわち、フルリムフレームやナイロールフレーム等のリム付のメガネに採用すると、レンズの周囲を保持するリムは、レンズ切削部分１０３の段差のうち裏側の薄くなった部分を保持する構造になり、このため段差のうち表側がリムの前に露出する形になり、よって段差が前から見た他者に認識されやすく、メガネの見栄えが悪くなってしまうものであった。
【０００８】
この発明は、以上の問題点を解決するために、切削部１０３が、メガネ使用者の視野に入りにくく、また、リム付のメガネであっても採用に無理のないメガネ及びメガネレンズを提供することを目的とする。
【課題を解決するための手段】
【０００９】
以上の課題を解決するために、第一発明は、 縁厚な２枚のメガネレンズと、各メガネレンズの耳側縁部の裏側を水平断面Ｌ字状に切削してメガネレンズの厚みを局部的に薄くした切削部と、を有することを特徴とするメガネである。
第二発明は、請求項１に記載のメガネに使用され、縁厚な形状と、耳側縁部の裏側を水平断面Ｌ字状に切削してレンズの厚みを局部的に薄くした切削部と、を有することを特徴とするメガネレンズである。
【発明の効果】
【００１０】
第一、または第二発明によれば、メガネレンズの耳側縁部の裏側を水平断面Ｌ字状に切削してメガネレンズの厚みを局部的に薄くしたので、切削が狭い範囲で済み、広い範囲をテーパー状に切削する必要がない。そして、Ｌ字状を構成する二つの面はともに平坦な面であり、テーパー状の面ような独特の光の反射がなく、目立たない。特に、二つの面のうちメガネレンズに略直角な面は、正面から見たときに目立ちにくい。
また、表側を切削するよりも、メガネ使用者の視野に入りにくい（図６参照）。その結果、視界の邪魔になりにくく、不快な気持ちになりにくい。
また、リム付フレームのメガネの場合には、リムは、レンズ切削部分の段差のうち表側を保持する構造になり、段差のうち裏側がリムの後に露出する形になり、よって段差は前から見た他者に認識されにくく、メガネの見栄えが悪くなるのを防止できる。
【発明を実施するための最良の形態】
【００１１】
この発明の実施形態を、図１から図６に示す。
図３に示すように、このメガネレンズ１は、凹レンズであり、中心が最も薄く、中心から遠くなり外側になるほど厚くなって、縁厚になっている。このため、レンズ表面１Ａはやや平坦な曲面であるがレンズ裏面１Ｂは、中心が薄い比較的に急な曲面になっている。レンズ表面１Ａとレンズ裏面１Ｂに挟まれた周囲の端面３には、レンズ１を保持するリム５の内周面へ嵌合する三角形断面の凸条７が形成される。この凸条７は、端面３の表側に位置するが、端面３の裏側は、鋭角のエッジ９を形成する。通常、レンズ１の最も薄い中心は、レンズの中央よりもやや鼻側に位置していることが多いので、端面３の厚さは、鼻側よりも耳側（図３中の左）が厚く、エッジ９は耳側でより突出した形状になっている。
【００１２】
このエッジ９は、レンズ周囲のうち耳側縁部１１が、切削され切削部１２が形成される。この切削は水平断面Ｌ字状に行われる。Ｌ字状の向きは、メガネレンズ１の後方外側を向く。Ｌ字状を構成する二つの面１２Ａ，１２Ｂはともに平坦な面であり、うち一つの面１２Ａはメガネレンズ１に略直角な面であり、他の一つの面１２Ｂは、メガネレンズ１に略平行な面である。この切削により、メガネレンズ１の厚みを、耳側縁部１１で局部的に薄くすることができる。  
図１、図２、図４、図５に示すように、レンズ１の周囲を保持するリム５は、レンズ形状の周囲に応じたリング状をなし、リング状の内周に、前記凸条７に嵌合する図示しない溝が形成される。金属製のフレームの場合、リム５の継ぎ目は図示しないネジで締め付け固定する。
【００１３】
各レンズ１の鼻側には、クリングス１３に支えられて鼻パッド１５が設けられ、メガネ使用者の鼻に接する。
また、各レンズの鼻側には、ブリッジ１７が設けられ、左右のリム５を連結する。左右のリム５により左右のレンズが保持される。
各レンズの耳側には、智（よろい）１９が設けられ、蝶番２１を介して、耳にかけられるアーム状のテンプル２３に連結される。
【００１４】
「実施形態の効果」
この実施形態によれば、メガネレンズの耳側縁部の裏側を、水平断面Ｌ字状に切削１２して、メガネレンズ１の厚みを局部的に薄くしたので、テーパー状に切削する場合に比べて、切削１２が狭い範囲で済む。つまり、広い範囲をテーパー状に切削する必要がない。そして、Ｌ字状を構成する二つの面１２Ａ，１２Ｂ（図３参照）はともに平坦な面であり、テーパー状の面ような独特の光の反射がないので、目立たない。特に、二つの面のうちメガネレンズに略直角な面１２Ａは、その向きから、正面から見たときに目立ちにくい。
【００１５】
また、メガネレンズの耳側縁部１１の裏側を切削してメガネレンズの厚みを局部的に薄くしたので、表側を切削するよりも、メガネ使用者の視野に入りにくい。
このことを図６によって、説明する。すなわち、図６（Ａ）に示すように、レンズ１の耳側縁部１１の裏側を切削した場合には、正面を見た眼２５に対し、はじめに視野に入る障害部分としてのレンズ１の不連続部分は、レンズ縁部の端面３の表側の角部３Ａである。よって、レンズの視野２７は最も広い。
次に、図６（Ｂ）に示すように、従来のようにレンズ１の耳側縁部１１の表側を切削した場合には、視野２７に入るレンズ１の不連続部分は、切削部１０３の段差のうちレンズ表側の角部１０３Ａである。よって視野２７は、切削部分１０３の左右幅寸法分だけ、（Ａ）よりも狭くなる（図６（Ｃ））。
【００１６】
また、図３、図２に示すように、リム５が嵌合して保持を行う凸条７は、レンズ端面３の表側に位置するが、切削部分１２は、レンズ端面３の裏側に位置する。このため、切削部分１２の段差のうち薄くなった表側を、フレームすなわちリム５が保持する構造になる。よって、段差のうち裏側がリム５の後に露出する形になり、よって段差は前から見た他者にはリム５の陰になって認識されにくい。このため、メガネの見栄えが悪くなるのを防止できる。
【００１７】
「他の実施形態」
以上の実施形態では、フルリムフレームのメガネを例にしたが、他の実施形態では、例えば図７に示すように、高張力糸で下または上側半分でメガネレンズを保持しているナイロールフレームのメガネでもよい。
さらには、図８に示すように、縁無し（リムレスフレーム）メガネでもよい。すなわち、リム５を用いないで、左右のレンズの鼻側と耳側にそれぞれ穴を開け、鼻側の穴へボルト３１を通してブリッヂ１７を取り付け、耳例の穴へボルト３３を通して智（よろい）１９が設けられたものでもよい。このように、現在市場に流通しているおおかたの視力矯正用のメガネフレームに装着されているメガネレンズに加工可能である。
【図面の簡単な説明】
【００１８】
【図１】この発明の一実施形態を示すメガネの平面図である。
【図２】図１の片側の拡大図である。
【図３】図２のレンズの拡大図である。
【図４】図１の正面図である。
【図５】図４のメガネを耳側から見た斜視図である。
【図６】この実施形態の作用効果を比較説明するもので、（Ａ）この実施形態のレンズと視野の関係を示す図、（Ｂ）従来技術のレンズと視野の関係を示す図、（Ｃ）前記（Ａ）（Ｂ）の視野の比較を示す図である。
【図７】この発明の他の実施形態を示すメガネの平面図である。
【図８】この発明のさらに他の実施形態を示すメガネの平面図である。
【図９】従来のメガネの平面図である。
【図１０】図９の右側のレンズの拡大図である。
【図１１】図９のメガネを耳側から見た斜視図である。
【図１２】レンズ耳側裏面の面取りを通常より大きく切削しレンズを薄く見せる従来のメガネの右側を示すもので、（Ａ）は正面図、（Ｂ）は（Ａ）のレンズの平面図である。
【図１３】レンズを薄く見せる従来のファセット加工のメガネの右側を示すもので、（Ａ）は正面図、（Ｂ）は（Ａ）のレンズの平面図である。
【図１４】レンズを薄く見せる従来のメガネの右側の一部を切り欠いて示す平面図である。
【符号の説明】
【００１９】
１…レンズ、３…端面、５…リム、７…凸条、９…エッジ、１１…耳側縁部、１２・・・水平断面Ｌ字状の切削部、１３…クリングス、１５…鼻パッド、１７…ブリッジ、１９…智（よろい）、２１…蝶番、２３…テンプル、１０１…レンズ、１０２・・・耳側縁部、１０２Ａ・・レンズ耳側裏面の面取り、１０２Ｂ・・多面体の切削部、１０３…切削部、１０５…ボルト、１０７…智（よろい）、１０９…蝶番、１１１…テンプル。
【図１】
2008089940.tif 000003
【図２】
2008089940.tif 000004
【図３】
2008089940.tif 000005
【図４】
2008089940.tif 000006
【図５】
2008089940.tif 000007
【図６】
2008089940.tif 000008
【図７】
2008089940.tif 000009
【図８】
2008089940.tif 000010
【図９】
2008089940.tif 000011
【図１０】
2008089940.tif 000012
【図１１】
2008089940.tif 000013
【図１２】
2008089940.tif 000014
【図１３】
2008089940.tif 000015
【図１４】
2008089940.tif 000016